(57)【特許請求の範囲】
【請求項１】
紙幣を受領して収納する紙幣取扱装置であって、
外部から受け入れた紙幣の有効性を確認する紙幣識別手段と、
該紙幣識別手段で有効と判定された紙幣を収納する着脱可能な紙幣収納手段と、
前記紙幣識別手段から前記紙幣を前記紙幣収納手段に送る搬送手段と、
前記搬送手段から送られてきた紙幣を移動させて前記紙幣収納手段内に収納させる紙幣押し込み手段と、
前記紙幣押し込み手段を駆動するための駆動源と、
前記紙幣収納手段を施錠して前記紙幣取扱装置から取り出し不能にする施解錠手段とを含み、
前記駆動源は前記紙幣収納手段とは別個に設けられ、前記施解錠手段は前記駆動源からの動力で駆動されて施解錠を行うことを特徴とする紙幣取扱装置。
【請求項２】
請求項１記載の紙幣取扱装置において、前記施解錠手段は、前記駆動源と前記紙幣押し込み部との間に配設されていることを特徴とする紙幣取扱装置。
【請求項３】
請求項２記載の紙幣取扱装置において、前記施解錠手段は、前記駆動源により回転駆動されて前記紙幣押し込み手段に回転力を伝達する駆動軸と、該駆動軸上に設けられた一対のカムと、該駆動軸と該一対のカムの各々との間に介装されたワンウエイクラッチとを含み、前記一対のカムの一方に対するワンウエイクラッチと前記一対のカムの他方に対するワンウエイクラッチは、それぞれ駆動力を伝達するために前記駆動軸と共に回転する方向が互いに反対になるように配されていることを特徴とする紙幣取扱装置。
【請求項４】
請求項３記載の紙幣取扱装置において、前記施解錠手段は、前記一対のカムの一方の回動に応じてよりそれぞれ逆向きに変位され得る一対の施錠棒を有し、前記駆動軸が前記駆動源により施錠方向に駆動されたときに、該一対の施錠棒は、それぞれ外側に向けて駆動されて前記紙幣取扱装置の外部に突出する施錠位置で保持されることを特徴とする紙幣取扱装置。
【請求項５】
請求項４記載の紙幣取扱装置において、前記一対の施錠棒は、前記施錠位置に該施錠棒を保持する保持手段が係合する溝をそれぞれ有し、該保持手段は、前記一対のカムの他方の回動に応じて該溝から外されることを特徴とする紙幣取扱装置。
【請求項６】
請求項３記載の紙幣取扱装置において、前記紙幣収納手段、前記紙幣押し込み手段及び前記施解錠手段は、一つのハウジング内に配設されて前記紙幣取扱装置から着脱可能なユニットをなしていることを特徴とする紙幣取扱装置。
【請求項７】
請求項６記載の紙幣取扱装置において、前記施錠棒は、前記施錠位置において該ハウジングの外側に突出することを特徴とする紙幣取扱装置。
【請求項８】
請求項１乃至７のいずれか記載の紙幣取扱装置において、前記駆動源に施錠駆動信号を送って前記施解錠手段を施錠方向に駆動させる制御手段を備えたことを特徴とする紙幣取扱装置。
【請求項９】
請求項８記載の紙幣取扱装置において、前記紙幣収納手段を前記紙幣取扱装置に装着したとき該紙幣収納手段の装着を検知して検出信号を出力する検出器を備え、前記制御手段は、該検出器からの検出信号に応じて前記施錠駆動信号を前記駆動源に送ることを特徴とする紙幣取扱装置。
【請求項１０】
請求項８記載の紙幣取扱装置において、前記制御手段は、所定の解錠操作信号に応じて解錠駆動信号を前記駆動源に送って前記施解錠手段を解錠方向に駆動させることを特徴とする紙幣取扱装置。
【請求項１１】
請求項１０記載の紙幣取扱装置において、前記解錠操作信号は、遊技機などの機械に所定の情報を記録したカードが挿入されて該所定の情報が読み出された時に発生することを特徴とする紙幣取扱装置。
【請求項１２】
請求項１０記載の紙幣取扱装置において、前記解錠操作信号は、遊技機などの機械のフロントドアが解錠され或いは開けられた時に発生することを特徴とする紙幣取扱装置。
【請求項１３】
請求項１乃至７のいずれか記載の紙幣取扱装置において、遊技機などの機械に収納されていることを特徴とする紙幣取扱装置。
【発明の詳細な説明】
【０００１】
【発明の属する技術分野】
本発明は、スロットマシンその他の遊技機あるいは自動販売機等（以下「遊技機等」という）に用いられる紙幣取扱装置に関する。
【０００２】
【従来の技術】
従来、遊技機などの紙幣挿入口から送り込まれた紙幣の適否を判別する紙幣識別部と、この紙幣識別部から紙幣を本体に内蔵された紙幣収納装置（以下「スタッカ」という）に送る搬送部とを具備し、スタッカに押し込みユニット及びこれを駆動するモータ等の駆動源を組み込んで一体構造とした紙幣取扱装置が知られている。
【０００３】
この紙幣取扱装置では、スタッカは本体内から取り出せるように構成され、スタッカを本体内に装填したとき手動で施錠することによって固定し、本体内から取り出す際にはスタッカの施錠を解除するようにしている。
【０００４】
【発明が解決しようとする課題】
しかしながら、上記のように手動で施解錠動作を行う構造では、紙幣の入ったスタッカを簡単に取り外すことができるので、不正が行われやすい。そこで、安全性を向上させるため、また、スタッカを回収する人間の労力を軽減するため、自動的に施解錠するロック機構を紙幣取扱装置に設けることが考えられる。ところが、この場合、ロック機構を作動させるために、例えばソレノイドやモータ等の駆動源が必要になるので、その分スペースをとり、コストも増大する。また、ロック機構と共にその駆動源もスタッカに組み込んだ場合には、スタッカ自体の重量が増大し、スタッカを取り外して運ぶ人間の負担も増えてしまう。
【０００５】
従って、本発明の目的は、従来の紙幣取扱装置に比べて安全性を向上させると共に、安価でスペースを取らない構造によってスタッカを自動的に施解錠でき、スタッカ自体の重量増加も回避できる紙幣取扱装置を提供することにある。
【０００６】
【課題を解決するための手段】
本発明の紙幣取扱装置は、外部から受け入れた紙幣の有効性を確認し、紙幣の受領を可能あるいは不可能と判定する紙幣識別手段と、該紙幣識別手段で有効と判定された紙幣を収納する着脱可能な紙幣収納手段と、前記紙幣識別手段から前記紙幣を前記紙幣収納手段に送る搬送手段と、前記搬送手段から送られてきた紙幣を移動させて前記紙幣収納手段内に収納させる紙幣押し込み手段と、前記紙幣押し込み手段を駆動するための駆動源と、前記紙幣収納手段を施錠して前記紙幣取扱装置から取り出し不能にする施解錠手段とを含み、前記駆動源は前記紙幣収納手段とは別個に設けられ、前記施解錠手段は前記駆動源からの動力で駆動されて施解錠を行うことを特徴とする。
【０００７】
好ましくは、施解錠手段は駆動源と紙幣押し込み手段との間に設けられる。
【０００８】
より好ましくは、施解錠手段は、駆動源により回転駆動されて、紙幣押し込み手段に回転力を伝達する駆動軸と、該駆動軸上に設けられた一対のカムと、該駆動軸と該一対のカムの各々との間に介装されたワンウエイクラッチとを含み、一対のカムの一方に対するワンウエイクラッチと一対のカムの他方に対するワンウエイクラッチは、それぞれ駆動力を伝達するために、駆動軸と共に回転する方向が互いに反対になるように配されている。
【０００９】
好ましくは、紙幣取扱装置は、紙幣収納手段を装着したときにその紙幣収納手段の装着を検知して検出を示す信号を制御手段に出力する検出器を備え、制御手段は、検出器からの信号に応じて施錠駆動信号を駆動源に出力する。
【００１０】
この好ましい態様によれば、紙幣収納手段の自動的な施錠を的確に行うことができる。
【００１１】
好ましくは、制御手段は、所定の解錠操作信号に応じて、施解錠信号を前記駆動源に出力して前記施解錠手段を解錠方向に駆動させる。
【００１２】
好ましくは、紙幣取扱装置は、遊技機などの機械に収納され、機械に所定の情報が記録されたカードが挿入されて所定の情報が読み出された時に前記解錠操作信号を発生させる。
【００１３】
あるいは、紙幣取扱装置は、遊技機などの機械に収納され、該機械のフロントドアが解錠されあるいは開けられた時に所定の解錠操作信号を発生させる。
【００１４】
【作用】
本発明の紙幣取扱装置においては、紙幣識別手段に紙幣が送り込まれると、その真贋及び良否が識別され、その結果、受領可能と判断された紙幣は、紙幣識別手段から紙幣収納手段に送られる。そして、紙幣押し込み手段が、紙幣を紙幣収納手段に押し込んで収納させる。このとき、紙幣押し込み手段は、紙幣収納手段とは別個に設けられた駆動源によって駆動される。着脱可能な紙幣収納手段は、紙幣取扱装置の本体内に装填されているとき、施解錠手段によって施錠されあるいは解錠される。この施解錠手段の動作は、前記駆動源からの動力で駆動される。
【００１５】
好ましい態様の紙幣取扱装置においては、施解錠装置を駆動源と紙幣押し込み手段との間に設置することにより、紙幣収納手段とは別個に設けられた駆動源から伝達される動力をそのまま利用して施解錠手段を駆動する。すなわち、駆動源から施解錠手段への動力伝達のために、紙幣押し込み手段への動力伝達とは別個の独立した機構を設ける手間と費用が省かれるので、スペース及びコストの節減が達成される。
【００１６】
好ましい態様においては、一対のカムの一方に対するワンウエイクラッチと一対のカムの他方に対するワンウエイクラッチが、それぞれ駆動軸と共に回転する方向が互いに反対になるように配置されることにより、駆動軸の回転方向（正転、逆転）に応じて施錠動作又は解錠動作が自動的に行われる。
【００１７】
更に好ましくは、施解錠手段は、一対のカムの一方の回動に応じてよりそれぞれ逆向きに変位され得る一対の施錠棒を有し、駆動軸が、駆動源により施錠方向に駆動されたときに、一対の施錠棒は、それぞれ外側に向けて駆動されて紙幣取扱装置の外部に突出する施錠位置で保持される。
【００１８】
この好ましい態様によれば、駆動軸の駆動力を利用して施錠動作を簡単且つ的確に行うことができる。
【００１９】
更に好ましくは、一対の施錠棒は、施錠位置に施錠棒を保持する保持手段が係合する溝をそれぞれ有し、保持手段は、前記一対のカムの他方の回動に応じて、溝から外される。
【００２０】
好ましくは、紙幣収納手段、紙幣押し込み手段、及び施解錠手段は、一つのハウジング内に配設されて紙幣取扱装置から着脱可能なユニットを成す。
【００２１】
好ましくは、紙幣取扱装置は、駆動源に施錠駆動信号を出力して前記施解錠手段を施錠方向に駆動させる制御手段を備える。
【００２２】
この好ましい態様によれば、施解錠手段の施解錠動作を的確に制御することができる。
【００２３】
別の態様においては、紙幣収納装置が本体部に装填されたとき、これが検出器によって検出され、その検出信号が制御部に送られる。制御部は、この検出信号に応じて駆動源を作動させ、施錠動作を行う。これにより、施錠動作が的確に行われる。
【００２４】
また、上記制御部は解錠操作信号を受けたとき、施解錠装置が解錠するように駆動源を作動させる信号を出力する。そのための解錠操作信号は、紙幣取扱装置を収納した遊技機などにＩＣカード等のカードが挿入され、そのカードに記録された情報が読み出されたとき、あるいは当該遊技機などのフロントドアが解錠もしくは開けられたとき発生することにより、解錠動作が迅速かつ的確に行われる。
【００２５】
【効果】
上記のように、本発明によれば、紙幣収納手段は施解錠手段によって自動的に施解錠できると共に、その施解錠手段の駆動は、新たに設けた駆動源ではなく紙幣押し込み手段のための駆動源によって行われるので、安全性が向上する。加えて、施解錠手段の駆動のために紙幣収納手段や紙幣押し込み手段の重量及び取り付けスペースの増大が回避される。従って、全体として低コストで施解錠を自動化し、且つ紙幣収納手段の回収や設置を行う作業者の労力が軽減される。
【００２６】
【発明の実施の形態】
図１において、実施例の紙幣取扱装置Ｐは、紙幣の有効性を確認する紙幣識別部１と、多数の紙幣Ａを積み重ねて収納する紙幣収納装置（以下「スタッカ」と呼ぶ）Ｓを収容する本体部８と、駆動源部９５０とから成る。スタッカＳは、紙幣取扱装置Ｐの本体部８内に着脱可能であり、図２に示すように、扉１００と、紙幣押し込み部４と、紙幣識別部１の内部に配置された紙幣搬送部２１０から続く案内路８Ｇと、紙幣収納部１１とを含んでいる（更に、図１３及び図１４参照）。
【００２７】
紙幣識別部１では、紙幣投入口１０から投入された紙幣の真贋および良否の識別が行われる。この識別は、内部に配置されたＣＰＵ及びメモリから成る制御部３００により実行される。すなわち、ＣＰＵはメモリに予め格納されている正規の紙幣についてのデータと投入された紙幣についての検知データとを比較することにより、紙幣の良否を判別する。ここで問題なしと判断された紙幣Ａは、紙幣搬送部２１０によってスタッカＳの案内路８Ｇに運ばれる。
【００２８】
なお、紙幣識別部１は、本体部８に対し、図１において本体部８の左上端に設けた一対の孔を通る軸ピン３により、図示の位置から矢印で示すように回動し且つ取り外し可能に取り付けられている。紙幣識別部１を図１において時計方向に回動させると、本体部８の左端の面が開放され、スタッカＳを本体部８内に入れたり取り出したりできる状態となる。
【００２９】
図１３及び図１４に示すように、スタッカＳは、後述の施錠棒６２，６４が施錠のために突出する貫通孔９６２，９６４が形成された側壁９０２，９０４と、後壁９０７（図２参照）と、底壁９０５とから成る箱体（ハウジング）９を含む。該箱体９は、その内部上方に該側壁９０２，９０４の内側表面に固着された内部隔壁２４と、たな部８４’，８６’を有し該側壁９０２，９０４の内側表面の内部隔壁の下方に相対して配置された一対の逆Ｌ字状の部材８４，８６とが設けられ、それらにより、スタッカＳは、紙幣押し込み部４、案内路８Ｇ、及び紙幣収納部１１に区分されている。
【００３０】
また、後述するように、箱体９の紙幣識別部１側は、前記扉１００により開閉可能に覆われている。扉１００には、紙幣が紙幣搬送部２１０から案内路８Ｇに送られる際に通る紙幣入口８８が形成されている（図２、４参照）。
【００３１】
前記内部隔壁２４の上に位置する紙幣押し込み部４は、その開いた頂部、即ち箱体９の開いた頂部を蓋６により覆われる。蓋６は、ビスなどにより、箱体９の上端に固定されている。
【００３２】
内部隔壁２４と前記たな部８４’，８６’との間に形成される案内路８Ｇは、前記紙幣入口８８（図２及び図４参照）を通って送られて来た紙幣が一時的に載置されるところであり、その底部には、前記たな部８４’，８６’の間に、紙幣Ａが通過する開口９０が形成されている。
【００３３】
この開口９０は、通常、紙幣収納部１１内においてバネにより付勢された紙幣支持板１８、又はその上に保持された紙幣Ａもしくは紙幣の積み重ねＡにより、ふさがれている。該紙幣支持板１８は、長手方向に間隔を取って前記箱体９の底壁９０５上に配置された一対のコイルバネ９２，９４により上方に付勢されている。
【００３４】
紙幣押し込み部４では、後述のように上下移動機構を構成する偏心ピン盤１２とスライド板１４とによって押し込み板１６（図３及び図７）が上下動するようになっている。ここで、上下移動機構が、駆動源部９５０に含まれているモータ２０により駆動されると、押し込み板１６はその下側に挿入された紙幣Ａを押し下げる。このとき、図１３及び図１４に示すように、紙幣Ａは、その幅より狭い箱体９の開口９０をたな部８４’，８６’に長手の側部が当たり屈曲して通過し、紙幣収納部１１内に設けられた紙幣支持板１８上に載せられる。押し込み板１６が上方位置に戻ると、紙幣Ａはたな部８４’，８６’とコイルバネ９２，９４の付勢力により上方に付勢された紙幣支持板１８との間に挟持される。
【００３５】
上記のようにスタッカＳに紙幣を収納するため、押し込み板１６が紙幣を下の位置（図３及び図１４参照）まで押し下げた後、上昇して上の位置（図４及び図１３参照）に戻ったとき、後述のように押し込み板１６の角部に設けられた検知板９６がフォトセンサ９８に検知される。この検知信号は、駆動源部９５０に含まれる制御部３００に送られ、制御部の制御信号がモータ２０に出力されて、モータ２０の駆動が停止する。
【００３６】
なお、図２では駆動源部９５０に制御部３００が配置されているが、この制御部３００は前記紙幣識別部１内のＣＰＵであってもよい。その場合、制御部３００は、図２の位置には存在せず、フォトセンサ９８及びモータ２０は前記ＣＰＵと電気的配線で結ばれる。
【００３７】
以上の紙幣収納動作の繰り返しにより、複数枚の紙幣ＡがスタッカＳの紙幣収納部１１内に積み重ねられて収納される。
【００３８】
紙幣押し込み部４では、図７に示すように、Ｕ字状の取付板３８が上記箱体９の内部隔壁２４上に取り付けられている。取付板３８の対向する壁部の中央部には、これと一体に形成された軸受（図示省略）が設けられ、この軸受に駆動軸４０が長手方向に回転自在に支持されている。この駆動軸４０上には、後述するように、それぞれワンウエイクラッチを介して一対のカム４２，４４が軸方向に所定の間隔を置いて配置されると共に、図３〜図６に示すように、駆動軸４０のモータ２０側の一端部にスプライン軸２２が一体に結合されている。
【００３９】
図２に示すように、駆動軸４０の紙幣識別部１側の他端部には、偏心ピン盤１２が固定されている。この偏心ピン盤１２は、周縁部の一点から突出した円柱形の偏心ピン１７を備えており、このピン１７は、押し込み板１６上に固着した断面Ｌ字状のスライド板１４の垂直部の上部に横方向に延びた長孔３０に緩く嵌合している。スライド板１４は、上記取付板３８の外側にこれと一体に形成された案内部材２６，２８の溝部２７，２９に垂直方向側部が摺動自在に嵌入し上下動自在に案内され、駆動軸４０と一体の偏心ピン盤１２の回転により、上下に往復運動する。かくして、ピン１７を有する偏心ピン盤１２、長孔３０を有するスライド板１４、溝部２７，２９を有する案内部材２６，２８は上下移動機構を形成している。上記のように、スライド板１４は押し込み板１６と一体になっているので、スライド盤１４の上下動と共に押し込み板１６も上下動する。
【００４０】
図７は、偏心ピン盤１２のピン１７がスライド板１４を最も高い位置に保持している場合を示している。この時、押し込み板１６の上面（紙幣押圧面の反対側）は箱体９の内部隔壁２４の下面に当接している。
【００４１】
駆動軸４０に設けられた一対のカム４２，４４は、それぞれ一方向にのみ駆動力を伝達するワンウエイクラッチを介して駆動軸４０の回転が伝達される。
【００４２】
このワンウエイクラッチは、図１１および図１２に示すように構成されたもので、その駆動軸４０と筒状の内輪４６とが一体となって回転するように嵌め合わされている。内輪４６と外輪５４との間には、複数の針状コロ４８が等間隔で配置され、各針状コロ４８の間には、等間隔で保持器５０が１個ずつ外輪から延びている。さらに、各保持器５０と針状コロ４８との間には、針状コロ４８を図の反時計回りにカム面５６の狭小部５８の方に付勢するスプリング（コイル状又は板状）５２が配設されている。
【００４３】
この状態で、図１１の矢印で示すように駆動軸４０が反時計方向に回転を始めると、駆動軸４０と一体の内輪４６の回転力が針状コロ４８と内輪４６間の摩擦により伝達されるので、針状コロ４８は、反時計回り方向に付勢され、外輪５４の内径面に形成されているカム面５６の狭小部５８に転がって移動する。そして、カム面５６の狭小部５８に押し付けられ、針状コロ４８が内輪４６と外輪５４との間にくさびを打ち込むような形となる。かくして内輪４６、針状コロ４８、外輪５４の３者が一体となり、駆動軸４０の回転を外輪５４に伝えることができる。
【００４４】
一方、図１２は、駆動軸４０が時計回り（図中の矢印方向）に回転する場合を示している。内輪４６は、その回転と共に針状コロ４８を転動させ、カム面５６の幅広部６０まで移動させる。このとき、針状コロ４８は内輪４６と互いに転がり接触しており、外輪５４とは実質的に接触していない状態にあるので、駆動軸４０の回転は外輪５４には伝わらない。
【００４５】
再び図７を参照すると、取付板３８には、その内部底面上で直方体の支持部材３２，３４が駆動軸４０の両側に対称に取り付けられている。各支持部材３２，３４は側面中央部に貫通孔３２ａ，３４ａを有し、各孔３２ａ，３４ａに円柱形の施錠棒６２，６４が遊嵌してある。図８及び図１０に示すように、各施錠棒６２，６４の駆動軸４０側の端部にはそれぞれフランジ状のカムキャッチ７０，７２が設けられ、各カムキャッチ７０，７２には、前述の駆動軸４０上の一対のカムの一方（以下第１カムと呼ぶ）４２の外周が摺動する溝部７０ａ，７２ａが設けてある。これらのカムキャッチ７０，７２と支持部材３２，３４との間には、それぞれ施錠棒６２，６４の周囲に巻かれたコイルバネ６６，６８が設けてあり、施錠棒６２，６４を第１カム４２に向かって両側から常時付勢している。
【００４６】
また、施錠棒６２，６４において、カムキャッチ７０，７２の溝部７０ａ，７２ａの奥には、第１カム４２の周面（後述の突出部４２ａ及び部分４２ｂから成る）が摺接し且つその周面上を転動可能なローラ２００，２０１（図１０）が配設されている。
【００４７】
実施例では、上記の支持部材３２，３４、取り付け板３８、駆動軸４０、一対のカム４２，４４、ワンウエイクラッチ、施錠棒６２，６４、コイルバネ（圧縮バネ）６６，６８、カムキャッチ７０，７２、及びローラ２００，２０１ならびに後述の回動軸７４，７６、カム押え板７８、コイルバネ（引張バネ）８０，８２により、施解錠装置が構成されている。
【００４８】
以上の構成によれば、図２の状態でモータ２０の出力軸（図示省略）が回転すると、このモータ出力軸に直結され且つ入力軸と出力軸とが直交するように構成された減速機２１の出力軸が回転する。スタッカＳが装填されている状態では、減速機２１の出力軸に取り付けられ、雌型のスプライン歯が形成されたスプライン軸受部２３（図１５）が、紙幣押し込み部４の駆動軸４０の一端に設けられたスプライン軸２２と噛み合うので、モータ２０の駆動力により駆動軸４０が図１１の矢印方向に回転する。駆動軸４０と第１カム４２との間には前述のワンウエイクラッチが内蔵されているので、図１１のように内輪４６が回転して外輪５４と一体の第１カム４２を回転させ、自動的に施錠が行われる。また、このとき、第２カム４４の内部にも、ワンウエイクラッチが軸４０に対して第１カム４２のものとは逆方向に設けられているので、図１２のように内輪４６は回転するが、外輪にはトルクが伝達されず、第２カム４４は回転しない。
【００４９】
図１１の矢印方向（反時計回り）に駆動軸４０が回転する場合には、駆動軸４０のトルクは外輪５４に伝達され、第１カム４２を回転させる。そして、施錠棒６２，６４の駆動軸側の一端にあるカムキャッチ７０，７２の溝部７０ａ，７２ａを第１カム４２が摺動し、その奥のローラ２００，２０１上を転動しながら回転することにより、施錠棒６２，６４はその先端部を外側に突出させる動作を行う。
【００５０】
図１のように紙幣取扱装置Ｐの本体部８内にスタッカＳが装填された状態で、施錠棒６２，６４が、前記箱体９の側壁９０２，９０４から突出して、図８に示すように本体部８の所定位置に設けられた係合孔１０６２，１０６４に嵌入すると、引張りバネ８０，８２の付勢力により、カム押え板７８の各腕部７８ａ，７８ｂの端部７８ａ’，７８ｂ’（図１０）が、施錠棒６２，６４に設けられた溝６２ａ，６４ａとそれぞれ係合する。この動作により、施錠棒６２，６４は突出状態に係止される。このとき、施錠棒６２，６４の位置は第１カム４２の回転と無関係になるので、施錠棒６２，６４が支持部材３２，３４から突出した状態で駆動軸４０を自在に回転させることができる。したがって、押し込み板１６を内部隔壁２４の下面に当接する位置にまで上昇させることができる。
【００５１】
施錠棒６２，６４の先端部が支持部材３２，３４から出た状態（図４、図６）（この時、さらにハウジング９０２，９０４の外側に出ている）では、本体部８に挿入されたスタッカＳは施錠された状態にある。すなわち、取扱者はスタッカＳを紙幣取扱装置から抜き出すことができない。一方、図２，図３，図５，図７に示すように、施錠棒６２，６４が側壁９０２，９０４から突出していない場合にはスタッカＳは解錠された状態にあり、取扱者はスタッカＳを本体部から抜き出すことができる。なお、スロットマシン内に固定したハウジングにスタッカＳを装填するように構成し、そのハウジングの孔を設けてこれに施錠棒６２，６４を係合させるようにしてもよい。
【００５２】
次に、駆動軸４０に設けられた一対のカムの他方（第２カム）４４は、駆動軸４０の上方に位置するカム押え板７８の横方向の本体部の底面に当接している。
図６に示すように、カム押え板７８は上方から見てＵ字状に形成されており、駆動軸の両側に延びた腕部７８ａ，７８ｂが、それぞれ回動軸７４，７６により前記一対の支持部材３２，３４に回動自在に支持され、各腕部７８ａ，７８ｂの反対側の部分と取り付け板３８の底面の対応するフック間の引張りバネ８０，８２によって常に第２カム４４を押え付けている。このため、第２カム４４は水平位置に保持される。
【００５３】
解錠動作（施錠棒６２，６４を突出位置から引っ込める動作）を行わせるには、モータ２０の回転方向を前述の施錠方向と逆の方向（図１２に示す方向）にして第２カム４４を回転させ、カム押え板７８の各腕部７８ａ，７８ｂの溝６２ａ，６４ａに対する係止を解除すればよい。
【００５４】
第２カム４４も、前述のようにワンウエイクラッチを介して駆動軸４０に設けられており、この第２カム４４が施錠方向と逆方向に回転されるとき、偏心ピン盤１２は第１カム４２の回転時とは逆の方向に回転される。
【００５５】
偏心ピン盤１２のピン１７が最も高い位置にあるとき、スライド板１４は最も高い位置まで持ち上げられており、押し込み板１６は内部隔壁２４の下面に当接している。図２に示す紙幣投入口１０から挿入された紙幣Ａが紙幣識別部１から扉１００に形成された紙幣入口８８を介して案内路８Ｇに送り込まれる。このとき、紙幣はスタッカＳ内のたな部８４’，８６’及び開口９０をふさぐ紙幣支持板１８又はその上に積み重ねられた紙幣Ａの一番上の一枚の上にある。
【００５６】
ここで、上記の第１カム４２と第２カム４４との関係をより詳細に説明する。
前述のように、駆動軸４０と各カム４２，４４との間にはそれぞれワンウエイクラッチが設けられているが、ワンウエイクラッチは、第１カム４２に対するものと第２カム４４に対するものとでは、駆動軸４０と共に回転する方向が互いに反対になるように配置されている。スタッカＳが紙幣取扱装置Ｐに収納された状態で、図６に示すように第１カム４２が施錠棒６２，６４を押し出して、施錠棒６２，６４が支持部材３２，３４の貫通孔３２ａ，３４ａ及び対応する箱体９の側壁９０２，９０４の貫通孔９６２，９６４から突出して前記本体部８の係合孔１０６２，１０６４に挿入されているときは、スタッカＳが施錠されている。すなわち、第２カム４４はカム押え板７８を引張バネ８０，８２の付勢力により下降させ、図１０に示すように、カム押え板７８の腕端部７８ａ’，７８ｂ’が施錠棒６２，６４の溝６２ａ，６４ａに係合することにより、施錠棒６２，６４が引っ込まないように係止している。すなわち、カム押え板７８により、施錠棒６２，６４によるスタッカＳの解錠を防止している。
【００５７】
一方、図５に示すように、施錠棒６２，６４が側壁９０２，９０４から突出していない状態では、スタッカＳは解錠されている。
【００５８】
図６の施錠状態から図５の解錠状態に至るには、図６において第２カム４４に対するワンウエイクラッチが回転を伝達する方向に駆動軸４０が回転すると、第２カム４４も回転してカム押え板７８を持ち上げ、施錠棒６２，６４の係止を解除する。一方、第１カム４２は、駆動軸４０から回転力が伝達されず、コイルバネ６６，６８によって両側から付勢されているので、両側のカムキャッチ７０，７２内のローラ２００，２０１上を転動しながら、第１カム４２の曲率の大きい突出部４２ａ，４２ａ’（図１０参照）を挟んだ状態から曲率の小さい部分４２ｂ，４２ｂ’（図５参照）を挟む位置まで、第１カム４２のワンウエイクラッチが回転を伝達しない方向に、回転して停止する。これが図５の解錠状態である。このとき、スタッカＳを本体部から抜き出し或いは装填することができる。
【００５９】
次に、スタッカＳを本体部に装填したとき、駆動軸４０の端部に設けたスプライン軸２２は、本体部に取り付けられている減速機２１の出力軸に設けたスプライン軸受部２３（図１５）と噛み合う。これと同時に、図４に示すように押し込み板１６は最上位にあり、その角部に立設された検知板９６が内部隔壁２４の長孔２４Ｓ（図４）から上方に突き出ているので、スタッカＳの装填時にフォトセンサ９８が挿入されて、検知板９６を検知して検出信号を出力する。この検出信号は、制御部３００或いは紙幣識別部１内のＣＰＵ（以下「制御部３００」という）に送られ、制御部３００がスタッカＳの装填を検知する。この時、制御部はモータ２０へ駆動信号を出力し、減速機２１を介して駆動軸４０を施錠方向に回転させる。これにより、前述のように自動的に図４および図６の施錠状態になる。
【００６０】
この施錠状態を解除するときは、上記制御部からの解錠駆動信号により、モータ２０が駆動軸４０を上記の施錠方向と反対の方向に回転させると、前述のように第２カム４４がカム押え板７８を持ち上げ、腕端部７８ａ’，７８ｂ’と溝６２ａ，６４ａの係合が外れるので、施錠棒６２，６４が引っ込んで側壁９０２，９０４から突出しない状態となり、解錠される。
【００６１】
なお、上記制御部は、前述の上下移動機構を駆動させる時にもモータ２０を駆動する信号を出力する。
【００６２】
上記施解錠装置の解錠動作は、上記制御部が所定の解錠操作信号を受けたとき、モータ２０を解錠方向に駆動することによって行われる。そのための解錠操作信号は、例えば、▲１▼紙幣取扱装置Ｐを収容しているスロットマシンのフロントドアを開ける等の解錠動作を行う条件が満たされた時に発生し、あるいは▲２▼スロットマシン等を管理する管理装置から任意に制御部へ送られる。
【００６３】
上記の解錠動作を行う条件としては、次のようなものがある。
【００６４】
１．操作者が、実施例の紙幣取扱装置を収納している遊技機等のフロントドア（図示省略）を解錠して開けたとき。これは、次のような操作で行われ、ドアスイッチ等の検知手段で検知される。
【００６５】
（１）上記フロントドアを専用の鍵の操作で開ける。または、
（２）上記フロントドアを専用のカード（ＩＣカード、磁気カード等）の操作で開ける。この場合、カードの挿入口は、フロントドアに専用の挿入口として設けるか、あるいは図２に示す紙幣投入口１０と兼用できる。挿入されたカードに記録されたパスワード等の情報は、読み取り装置によって読み取られて制御部に送られる。
【００６６】
２．上記１のフロントドアを解錠して開けることに加えて、開放された遊技機の内部に設けた鍵穴（図示省略）に所定の鍵を差し込み、スタッカＳを解錠する操作を行ったとき。
【００６７】
３．上記１のフロントドア解錠及び開放に加えて、開放された遊技機の内部でスタッカ解錠用のカード（ＩＣカード、磁気カード等）による解錠操作を行ったとき。
【００６８】
４．上記のようなフロントドアの解錠及び開放を行う前に、ＩＤカード（ＩＣカード、磁気カード等）で操作者を確認したとき。
【００６９】
スタッカＳの解錠を行うとき上記のような手順を定めた理由は、防犯及び金銭管理上、遊技機等を保守・点検する整備員と、スタッカＳを回収する係員と、集金業務を行うため回収されたスタッカＳから紙幣Ａを取り出す係員とが、それぞれ別個の鍵あるいはカードを持つことが望ましいからである。
【００７０】
上記実施例によれば、モータ２０からの動力によって上下移動機構を駆動する駆動軸４０の途中に施解錠装置を設けたので、安価で場所を取らずに紙幣取扱装置に対してスタッカＳを自動的に施解錠することができる。
【００７１】
また、スタッカＳ内に駆動源のモータ２０が内蔵されていないので、スタッカＳ自体が軽くなり、スタッカＳを回収する人間の労力を軽減できる。更に、スタッカＳ内の駆動軸４０に対するモータ２０からの動力伝達手段が、スプライン軸２２とこれに係合、離脱するスプライン軸受部２３とで構成されているので、紙幣取扱装置Ｐの本体部８からスタッカＳを取り出すときに抵抗が少なく、取り出しが容易である。
【００７２】
また、第１カム４２が施錠棒６２，６４を施錠方向に駆動する際、その外周面がローラ２００，２０１上を転動するので、駆動時のモータ２０の負担が小さく、スムーズな回転が得られる。このため、小型のモータを使用できる。
【００７３】
最後に、回収されたスタッカＳから紙幣を取り出す作業は、図２〜図４に示すように、箱体９の正面開口部に開閉自在に取り付けられた扉１００を開けることによって可能となる。このため、扉１００には鍵機構が設けられている。
【００７４】
図２及び図３は、その鍵機構の係止板１０２，１０４によって扉１００が箱体９に係止され、扉１００が閉じている場合を示し、図４は、扉１００の表側からの鍵操作により係止板１０２，１０４を回動してその係止を解除し、扉１００を開けた状態を示している。従って、回収されたスタッカＳから紙幣を取り出す際には、扉１００の表側から所定の鍵を鍵機構の鍵穴（図示省略）に挿入して、係止板１０２，１０４を図２及び図３の状態から図４に示すように回動させ、箱体９と扉１００との係止を解除することにより扉１００を開けることができる。
【００７５】
以上、実施例について説明したが、本発明はこれに限られるものでなく、その目的を達成するための構成は、実施例の構成要素以外の手段を用いても得られるものである。また、実施例の紙幣取扱装置はスロットマシンに用いられる例であるが、その他の遊技機や自動販売機等に用いてもよい。
【図面の簡単な説明】
【図１】紙幣取扱装置の概略構成を示す模式図。
【図２】実施例の紙幣取扱装置の一部を破断して示す斜視図。
【図３】図２の紙幣取扱装置に着脱されるスタッカの内部において押し込み板が紙幣を押し込んだときの斜視図。
【図４】図２の紙幣取扱装置に着脱されるスタッカの内部において押し込み板が最上端に達したときの斜視図。
【図５】図２の紙幣押し込み部にある施解錠装置の解錠状態を示す斜視図。
【図６】図２の紙幣押し込み部にある施解錠装置の施錠状態を示す斜視図。
【図７】図５および図６の施解錠装置を他方向から見た斜視図。
【図８】施解錠装置の上面図。
【図９】図８のIX−IX線断面図。
【図１０】図８のＸ−Ｘ線断面図。
【図１１】図８におけるワンウエイクラッチのXI−XI線断面図。
【図１２】駆動軸が逆方向に回転するときのワンウエイクラッチの状態を示す図。
【図１３】スタッカの紙幣入口に紙幣が挿入される状態を示す図。
【図１４】スタッカの中の紙幣が最下位まで押し込まれた状態を示す図。
【図１５】モータから紙幣押し込み部の駆動にトルクを伝達する一対のスプライン軸の関係を示す図。
【符号の説明】
１…紙幣識別部、３…軸ピン、４…紙幣押し込み部、６…蓋、８…本体部、９…箱体、１０…紙幣投入口、１１…紙幣収納部、１２…偏心ピン盤、１４…スライド板、１６…押し込み板、１７…ピン、１８…紙幣支持板、２０…モータ、２１…減速機、２２…スプライン軸、２３…スプライン軸受部、２４…内部隔壁、２６，２８…案内部材、３０…長孔、３２，３４…支持部材、３８…取り付け板、４０…駆動軸、４２…第１カム、４４…第２カム、４６…内輪、４８…針状コロ、５０…保持器、５２…スプリング、５４…外輪、５６…カム面、５８…狭小部、６０…幅広部、６２，６４…施錠棒、６６，６８…圧縮バネ、７０，７２…カムキャッチ、７４，７６…回動軸、７８…カム押え板、８０，８２…引張バネ、８４，８６…Ｌ字状部材、８８…紙幣入口、９０…開口部、９２，９４…コイルバネ、９６…検知板、９８…フォトセンサ、１００…扉、１０２，１０４…係止板、２１０…紙幣搬送部、３００…制御部、９０２，９０４…側壁、９０５…底壁、９０７…後壁、９６２，９６４…貫通孔、１０６２，１０６４…係合孔、Ｐ…紙幣取扱装置、Ｓ…紙幣収納装置。
【図１】
0003710523.tif 000002
【図２】
0003710523.tif 000003
【図３】
0003710523.tif 000004
【図４】
0003710523.tif 000005
【図５】
0003710523.tif 000006
【図６】
0003710523.tif 000007
【図７】
0003710523.tif 000008
【図８】
0003710523.tif 000009
【図９】
0003710523.tif 000010
【図１０】
0003710523.tif 000011
【図１１】
0003710523.tif 000012
【図１２】
0003710523.tif 000013
【図１３】
0003710523.tif 000014
【図１４】
0003710523.tif 000015
【図１５】
0003710523.tif 000016